(57)【要約】      （修正有）【課題】省スペースで良好な性能を有するワイヤレス通信回路を備えた電子装置を提供する。【解決手段】電子装置は、ハウジングにマウントされたコンポーネントを有し、ワイヤレストランシーバ回路及びアンテナ構造体を備える。ハウジングにはディスプレイがマウントされ、ディスプレイは内面にくぼみのあるカバー層を有し、くぼみはカバー層の周縁に沿って延びる。逆Ｆ字型アンテナ共振素子のようなアンテナ構造体が誘電体キャリア上の金属トレースから形成される。共振素子は、接着剤なしにくぼみにマウントされ、導電性ビアが誘電体キャリアを貫通する。ディンプルを伴う金属部材が柔軟なプリント回路に半田付けされ、この金属部材は、キャリアが固定具でハウジングに取り付けられるときにキャリア及び柔軟なプリント回路上の金属トレースをハウジングに接地する。【選択図】図２
0003205273.tif 000002
【実用新案登録請求の範囲】
【請求項１】
互いに反対の前面及び後面を有する電子装置において、
前面を取り巻く側壁を伴う金属ハウジング、
前記ハウジングにマウントされたディスプレイ、
前記ディスプレイを覆い且つ前記金属ハウジングの側壁に取り付けられた透明なディスプレイカバー層であって、くぼみを伴う内面を有する透明なディスプレイカバー層、及び
誘電体キャリア上にアンテナ共振素子を有するアンテナであって、そのアンテナ共振素子が前記誘電体キャリアにより支持され且つ接着剤なしに前記くぼみ内にマウントされたアンテナ、
を備えた電子装置。
【請求項２】
前記誘電体キャリアは、少なくとも１つの開口を有する、請求項１に記載の電子装置。
【請求項３】
前記側壁は、少なくとも１つのねじ込み型開口を有し、そして前記電子装置は、更に、前記誘電体キャリアの開口を通して前記側壁のねじ込み型開口へ通されるねじ込み型固定具を備えた、請求項２に記載の電子装置。
【請求項４】
前記誘電体キャリアの第１の面から前記誘電体キャリアの第２の面へ通過する少なくとも１つの導電性ビアを更に備えた請求項１に記載の電子装置。
【請求項５】
柔軟なプリント回路を更に備え、その上で金属トレースが伝送線を形成し、前記柔軟なプリント回路は、導電性ビアに半田付けされた少なくとも１つの金属トレースを有し、そして前記柔軟なプリント回路にマウントされた少なくとも１つのインピーダンスマッチング回路を更に備えた、請求項４に記載の電子装置。
【請求項６】
前記誘電体キャリアにマウントされた柔軟なプリント回路を更に備えた、請求項１に記載の電子装置。
【請求項７】
前記柔軟なプリント回路にマウントされた少なくとも１つの金属部材を更に備えた、請求項６に記載の電子装置。
【請求項８】
前記柔軟なプリント回路と前記側壁との間に前記金属部材が挿入されるように前記誘電体キャリアを前記側壁にマウントする少なくとも１つの固定具を更に備え、前記金属部材は、前記固定具が前記誘電体キャリアを前記側壁にマウントするときに前記側壁に対して押し付けられる少なくとも１つのディンプルを有する、請求項６に記載の電子装置。
【請求項９】
柔軟なプリント回路、及び
前記柔軟なプリント回路にマウントされるディンプル付き金属部材、
を備えた請求項１に記載の電子装置。
【請求項１０】
固定具を更に備え、前記誘電体キャリア及び前記柔軟なプリント回路には前記固定具を受け入れる開口があり、前記固定具は、前記側壁にねじ込まれて前記ディンプルを前記側壁に対して押し、前記金属部材の少なくとも１つは、蹄鉄状の金属部材を含む、請求項９に記載の電子装置。
【請求項１１】
前記アンテナ共振素子及び前記アンテナ接地部は、逆Ｆ字型アンテナを形成し、前記アンテナ共振素子は、第１及び第２のセグメントを伴うアンテナ共振アームを有し、そして前記電子装置は、前記第１セグメントと第２セグメントとの間にマウントされたインダクタを更に備えた、請求項１に記載の電子装置。
【請求項１２】
開口を伴う柔軟なプリント回路、
前記開口付近にマウントされた金属部材、及び
前記誘電体キャリア上にあって、アンテナの戻り路を形成し、前記アンテナ共振素子を前記金属部材に結合する金属トレース、
を更に備えた請求項１１に記載の電子装置。
【請求項１３】
金属ハウジング、
前記ハウジングにマウントされた、溝を有する誘電体層、及び
前記溝内のアンテナ共振素子と、前記金属ハウジングから少なくとも一部分形成されたアンテナ接地部とを有するアンテナであって、アンテナキャリアと、このアンテナキャリア上にあってアンテナ共振素子を形成する金属トレースと、前記アンテナキャリアを前記金属ハウジングに取り付けるために固定具を通す前記アンテナキャリアの開口とを含むアンテナ、
を備えた電子装置。
【請求項１４】
前記固定具を受け入れる開口を伴う柔軟なプリント回路、及び
前記開口付近で前記柔軟なプリント回路に半田付けされる金属部材であって、前記アンテナキャリアを前記固定具で前記金属ハウジングに取り付けるときに前記金属ハウジングに対して押し付けられる金属部材、
を更に備えた、請求項１３に記載の電子装置。
【請求項１５】
前記金属部材は、前記金属ハウジングに対して押し付けられるディンプルを有する、請求項１４に記載の電子装置。
【請求項１６】
前記誘電体層は、透明なディスプレイカバー層であり、そして前記アンテナ共振素子は、接着剤なしに前記溝に支持される、請求項１５に記載の電子装置。
【請求項１７】
金属ハウジング、
前記金属ハウジング内のディスプレイ、
前記ディスプレイを覆い、くぼみを有する透明なカバー層、
伝送線を含む柔軟なプリント回路、及び
前記柔軟なプリント回路に結合されたアンテナであって、前記くぼみ内にアンテナ共振素子を有すると共に、前記金属ハウジングから少なくとも一部分形成され且つ前記金属ハウジングに対して押し付けられる前記柔軟なプリント回路上の金属部材から少なくとも一部分形成されるアンテナ接地部を有するアンテナ、
を備えた電子装置。
【請求項１８】
前記金属部材は、前記金属ハウジングに対して押し付けられるディンプルを有し、
前記アンテナは、誘電体アンテナキャリアを含み、及び
前記アンテナ共振素子は、アンテナ共振素子アームを形成する前記アンテナキャリア上の金属トレースを含む、請求項１７に記載の電子装置。
【請求項１９】
前記誘電体キャリア内にあって前記アンテナ共振素子アームに電気的に結合される導電性ビアを更に備えた、請求項１８に記載の電子装置。
【請求項２０】
前記アンテナ共振素子アームは、第１及び第２のセグメントを有し、そして前記アンテナは、その第１セグメントと第２セグメントとの間にマウントされたインダクタを含む、請求項１８に記載の電子装置。
【考案の詳細な説明】
【技術分野】
【０００１】
関連出願の相互参照：本願は、２０１５年３月６日に出願された米国特許出願第１４／６４０，９０２号の優先権を主張するものであり、該出願は、参考としてここにそのまま援用される。
【０００２】
本考案は、一般的に、電子装置に関するもので、より詳細には、ワイヤレス通信回路を伴う電子装置に関する。
【背景技術】
【０００３】
電子装置は、ワイヤレス通信回路をしばしば備えている。外部装置との通信をサポートするために高周波トランシーバがアンテナに結合される。動作中に、高周波トランシーバは、アンテナを使用して、ワイヤレス信号を送信及び受信する。
【０００４】
電子装置内にアンテナ構造体のようなワイヤレスコンポーネントを合体することが課題である。注意を払わないと、アンテナは、装置内で必要以上に多くのスペースを消費するか、又は満足なワイヤレス性能を示さない。
【考案の概要】
【考案が解決しようとする課題】
【０００５】
それ故、電子装置のための改良されたアンテナを提供できることが望まれる。
【課題を解決するための手段】
【０００６】
電気的コンポーネントがハウジング内にマウントされた電子装置が提供される。電気的コンポーネントは、ワイヤレストランシーバ、アンテナ及び他のワイヤレス回路を含む。
【０００７】
ハウジング内にディスプレイがマウントされる。ディスプレイは、ハウジングの側壁にマウントされるディスプレイカバー層のような透明な層を有する。ディスプレイカバー層は、内面にくぼみがある。くぼみは、ディスプレイカバー層の周縁に沿って延びる溝の形状を有する。
【０００８】
逆Ｆ字型アンテナ共振素子のようなアンテナ構造体が誘電体アンテナキャリア上の金属トレースから形成される。金属トレース及びキャリアは、キャリアの開口を通過する固定具を使用してハウジングにマウントされる。柔軟なプリント回路がアンテナキャリアに結合される。キャリアは、固定具のみを使用してハウジングにマウントされる。キャリアがハウジングに取り付けられると、共振素子は、接着剤を必要とせずにくぼみ内にマウントされる。
【０００９】
ハウジングは、アンテナ接地部を形成する金属ハウジングである。くぼみ内の共振素子から逆Ｆ字型アンテナが形成され、金属ハウジングは、アンテナ接地部として働く。柔軟なプリント回路上の接地トレースをハウジングに接地し易くするため、ディンプルを伴う金属部材が柔軟なプリント回路に半田付けされる。
【図面の簡単な説明】
【００１０】
【図１】一実施形態によるワイヤレス通信回路を伴う規範的電子装置の斜視図である。
【図２】一実施形態によるワイヤレス通信回路を伴う規範的電子装置の回路図である。
【図３】一実施形態による平面型ディスプレイを伴う規範的電子装置の断面側面図である。
【図４】一実施形態によるカーブ型ディスプレイを伴う規範的電子装置の断面側面図である。
【図５】一実施形態によりカーブ層が平面層にマウントされたディスプレイを伴う規範的電子装置の断面側面図である。
【図６】一実施形態によりディスプレイ層の内面に周囲溝のようなくぼみをどのように設けるかを示す規範的ディスプレイ層の斜視図である。
【図７】一実施形態によりディスプレイ溝内にアンテナ共振素子がマウントされたタイプの規範的アンテナの上面図である。
【図８】一実施形態によるインピーダンスマッチング回路を伴う規範的逆Ｆ字型アンテナの回路図である。
【図９】一実施形態によりアンテナ共振素子がマウントされた周囲溝のようなくぼみを有する電子装置構造体の一部分の断面側面図である。
【図１０】一実施形態による規範的アンテナ共振素子並びにそれに関連した柔軟なプリント回路及びアンテナフィード構造体の前面斜視図である。
【図１１】一実施形態による図１０の規範的アンテナ共振素子の断面側面図である。
【図１２】一実施形態による図１０の規範的アンテナ共振素子の後面斜視図である。
【考案を実施するための形態】
【００１１】
図１の電子装置１０のような電子装置はワイヤレス回路を収容している。電子装置１０は、セルラー電話帯域のようなロングレンジ通信帯域で動作するワイヤレス通信回路と；２．４ＧＨｚのＢｌｕｅｔｏｏｔｈ（登録商標）帯域、並びに２．４ＧＨｚ及び５ＧＨｚのＷｉＦｉ（登録商標）ワイヤレスローカルエリアネットワーク帯域（ＩＥＥＥ８０２．１１帯域又はワイヤレスローカルエリアネットワーク通信帯域とも称される）のようなショートレンジ通信帯域で動作するワイヤレス回路と；を収容する。又、装置１０は、近フィールド通信、光ベースのワイヤレス通信（例えば、赤外線通信及び／又は可視光線通信）、衛星ナビゲーションシステム通信、又は他のワイヤレス通信を実施するためのワイヤレス通信回路も収容する。ここでは、一例として、２．４ＧＨｚの通信帯域及び／又は５ＧＨｚの通信帯域（例えば、Ｂｌｕｅｔｏｏｔｈ（登録商標）及び／又はＷｉＦｉ（登録商標）リンク）を経てワイヤレス通信が遂行される装置１０のワイヤレス回路の構成について説明する。
【００１２】
電子装置１０は、ラップトップコンピュータのようなコンピューティング装置、埋め込み型コンピュータを収容するコンピュータモニタ、タブレットコンピュータ、セルラー電話、メディアプレーヤ、或いは他のハンドヘルド又はポータブル電子装置、腕時計装置、ペンダント装置、ヘッドホン又はイヤホン装置のような小型装置、メガネに埋め込まれた装置、又はユーザの頭に着用される他の装置、或いは他の着用型又は小型装置、テレビジョン、埋め込み型コンピュータを収容しないコンピュータディスプレイ、ゲーム機、ナビゲーション装置、ディスプレイを伴う電子装置がキオスク又は自動車にマウントされるシステムのような埋め込み型システム、２つ以上のそれら装置の機能を実施する装置、或いは他の電子装置である。図１に例示する構成では、装置１０は、セルラー電話、メディアプレーヤ、タブレットコンピュータ、腕時計装置、又は他のポータブルコンピューティング装置のようなポータブル装置である。必要に応じて、装置１０には他の構成が使用されてもよい。図１の例は、単なる例示に過ぎない。
【００１３】
図１の例において、装置１０は、ハウジング１２にマウントされたディスプレイ１４のようなディスプレイを備えている。エンクロージャー又はケースとも称されるハウジング１２は、プラスチック、ガラス、セラミック、複合繊維、金属（例えば、ステンレススチール、アルミニウム、等）、他の適当な材料、或いはそれらの材料の２つ以上を組み合わせたもので形成される。ハウジング１２は、ハウジング１２の若干又は全部が単一構造体として加工又は成形されるか、或いは複数の構造体（例えば、内部フレーム構造体、ハウジングの外面を形成する１つ以上の構造体、等）を使用して形成されるユニボディ構成を使用して形成される。
【００１４】
装置１０は、側壁により取り巻かれた互いに逆の前面及び後面を有する。ディスプレイ１４は、装置１０の前面を形成する平らな又はカーブした外面を有する。ハウジング後壁１２Ｒとも称されるハウジング１２の下部は、ハウジング１２の後面を形成する。ハウジング後壁１２Ｒは、平らな外面を有し（例えば、ハウジング１２の後部がハウジング１２の平らな後面を形成し）、又はハウジング後壁１２Ｒは、カーブした外面又は他の適当な形状の外面を有する。後壁１２Ｒには光ベースのコンポーネント又は他の電気的コンポーネントがマウントされるか、又は後壁１２Ｒは、コンポーネントがなくてもよい。側壁１２Ｗは、垂直の外面（例えば、ディスプレイ１４とハウジング後壁１２Ｒとの間を垂直に延びる面）を有するか、カーブした面（例えば、断面で見たときに外方に曲がる面）を有するか、傾斜部分を有するか、まっすぐ及び／又はカーブ部分を伴うプロフィールを有するか、或いは他の適当な形状を有する。装置１０は、長方形のディスプレイ及び長方形の輪郭を有するか、円形であるか、或いは他の適当な形状を有する。
【００１５】
ディスプレイ１４は、導電性容量性タッチセンサ電極又は他のタッチセンサコンポーネント（例えば、抵抗性タッチセンサコンポーネント、音響タッチセンサコンポーネント、力ベースのタッチセンサコンポーネント、光ベースのタッチセンサコンポーネント、等）の層を合体するタッチスクリーンディスプレイであるか、或いは非タッチ感知のディスプレイである。インジウム・スズ酸化物パッド或いは他の透明な導電性構造体のアレイから容量性タッチスクリーン電極が形成される。
【００１６】
ディスプレイ１４は、液晶ディスプレイ（ＬＣＤ）コンポーネントから形成された表示ピクセルのアレイ、電気泳動表示ピクセルのアレイ、プラズマ表示ピクセルのアレイ、有機発光ダイオード表示ピクセル又は他の発光ダイオードのアレイ、エレクトロウェッティング表示ピクセルのアレイ、或いは他の表示技術に基づく表示ピクセルを含む。
【００１７】
装置１０は、ボタン１６のようなボタンを含む。装置１０には、適当な数のボタンがある（例えば、単一のボタン、１つ以上のボタン、２つ以上のボタン、５つ以上のボタン、等）。ボタンは、ハウジング１２の開口に配置されるか、又はディスプレイの開口に配置される（一例として）。ボタンは、ロータリボタン、スライドボタン、可動ボタン部材を押し付けることにより作動されるボタン、等である。ボタン１６のようなボタンのためのボタン部材は、金属、ガラス、プラスチック又は他の材料から形成される。
【００１８】
図２は、装置１０に使用される規範的なコンポーネントを示す回路図である。図２に示すように、装置１０は、ストレージ・処理回路３０のようなコントロール回路を備えている。ストレージ・処理回路３０は、ハードディスクドライブストレージのようなストレージ、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等を含む。ストレージ・処理回路３０の処理回路は、装置１０の動作を制御するのに使用される。この処理回路は、１つ以上のマイクロプロセッサ、マイクロコントローラ、デジタル信号プロセッサ、基本帯域プロセッサ集積回路、特定用途向け集積回路、等に基づくものである。
【００１９】
ストレージ・処理回路３０は、装置１０においてソフトウェアを実行するのに使用される。例えば、装置１０で実行されるソフトウェアは、ボタンのような入力／出力コンポーネント、ディスプレイ１４のようなタッチスクリーン、力センサ（例えば、ディスプレイ１４又はディスプレイ１４の一部分を押し付けることで作動される力センサ）、加速度計、光センサ、及び他の入力／出力回路を使用して供給されるユーザからの入力コマンドを処理するのに使用される。外部装置との相互作用をサポートするために、ストレージ・処理回路３０は、通信プロトコルを実施するのに使用される。ストレージ・処理回路３０を使用して実施される通信プロトコルは、インターネットプロトコル、ワイヤレスローカルエリアネットワークプロトコル（例えば、ＷｉＦｉ（登録商標）とも称されるＩＥＥＥ８０２．１１プロトコル）、Ｂｌｕｅｔｏｏｔｈ（登録商標）プロトコルのような他のショートレンジワイヤレス通信リンクのためのプロトコル、等を含む。
【００２０】
装置１０は、入力／出力回路４４を備えている。入力／出力回路４４は入力／出力装置３２を含む。入力／出力装置３２は、データを装置１０に供給できるようにし且つデータを装置１０から外部装置へ付与できるようにするために使用される。入力／出力装置３２は、ユーザインターフェイス装置、データポート装置、及び他の入力／出力コンポーネントを含む。例えば、入力／出力装置は、タッチスクリーン、タッチセンサ能力をもたないディスプレイ、ボタン、力センサ、ジョイスティック、スクロールホイール、タッチパッド、キーパッド、キーボード、マイクロホン、カメラ、ボタン、スピーカ、状態インジケータ、光源、オーディオジャック及び他のオーディオポートコンポーネント、デジタルデータポート装置、光センサ、モーションセンサ（加速度計）、キャパシタンスセンサ、接近センサ（例えば、容量性接近センサ及び／又は赤外線接近センサ）、磁気センサ、及び他のセンサ及び入力／出力コンポーネントを含む。
【００２１】
入力／出力回路４４は、外部装置とワイヤレス通信するためのワイヤレス通信回路３４を含む。ワイヤレス通信回路３４は、１つ以上の集積回路、電力増幅回路、低ノイズ入力増幅器、受動的ＲＦコンポーネント、１つ以上のアンテナ、伝送線、及びＲＦワイヤレス信号を取り扱うための他の回路から形成された高周波（ＲＦ）トランシーバ回路を含む。ワイヤレス信号は、光を使用して（例えば、赤外線通信を使用して）送信することもできる。
【００２２】
ワイヤレス通信回路３４は、種々の高周波通信帯域を取り扱うための高周波トランシーバ回路９０を含む。例えば、回路３４は、ＷｉＦｉ（登録商標）（ＩＥＥＥ８０２．１１）通信のための２．４ＧＨｚ及び５ＧＨｚ帯域を取り扱うワイヤレスローカルエリアネットワークトランシーバ回路、２．４ＧＨｚのＢｌｕｅｔｏｏｔｈ（登録商標）通信帯域を取り扱うワイヤレストランシーバ回路、７００ＭＨｚから２７００ＭＨｚ又は他の適当な周波数（一例として）の通信帯域でワイヤレス通信を取り扱うためのセルラー電話トランシーバ回路、又は他のワイヤレス通信回路を含む。必要に応じて、ワイヤレス通信回路３４は、他のショートレンジ及びロングレンジのワイヤレスリンクのための回路を含む。例えば、ワイヤレス通信回路３４は、６０ＧＨｚトランシーバ回路、テレビ及びラジオ信号を受信するための回路、ページングシステムトランシーバ、近フィールド通信（ＮＦＣ）回路、衛星ナビゲーションシステム受信回路、等を含む。ＷｉＦｉ（登録商標）及びＢｌｕｅｔｏｏｔｈ（登録商標）リンク、並びに他のショートレンジワイヤレスリンクでは、ワイヤレス信号は、典型的に、数十又は数百フィートを経てデータを搬送するのに使用される。セルラー電話リンク及び他のロングレンジリンクでは、ワイヤレス信号は、典型的に、数千フィート又はマイルを経てデータを搬送するのに使用される。節電のため、ある実施形態では、トランシーバ９０が２．４ＧＨｚリンク及び／又は５ＧＨｚリンク（例えば、Ｂｌｕｅｔｏｏｔｈ（登録商標）及び／又はＷｉＦｉ（登録商標）リンク）のようなショートレンジワイヤレスリンクを排他的に取り扱うように、ワイヤレス通信回路３４を構成するのが望ましい。必要に応じて、ワイヤレス回路３４に対して他の構成（例えば、付加的な通信帯域にカバレージをもつ構成）が使用されてもよい。
【００２３】
ワイヤレス通信回路３４は、アンテナ４０のような１つ以上のアンテナを含む。アンテナ４０は、適当なアンテナタイプを使用して形成される。例えば、アンテナ４０は、ループアンテナ構造体、パッチアンテナ構造体、逆Ｆ字型アンテナ構造体、スロットアンテナ構造体、平面逆Ｆ字型アンテナ構造体、螺旋アンテナ構造体、これらの設計の混成、等で形成された共振素子を伴うアンテナである。
【００２４】
伝送線９２のような伝送線経路は、アンテナ４０をトランシーバ回路９０に結合するのに使用される。伝送線９２は、アンテナ構造体４０に関連したアンテナフィード構造体に結合される。例えば、アンテナ構造体４０は、端子９８のような正のアンテナフィード端子及び接地アンテナフィード端子１００のような接地アンテナフィード端子を伴うアンテナフィードを有する逆Ｆ字型アンテナ又は他のタイプのアンテナを形成する。正の伝送線導体９４は、正のアンテナフィード端子９８に結合され、そして接地伝送線導体９６は、接地アンテナフィード端子９２に結合される。必要に応じて、他のタイプのアンテナフィード構成体が使用される。図２に例示するフィード構成は、単なる例示に過ぎない。
【００２５】
伝送線９２は、同軸ケーブル経路、マイクロストリップ伝送線、ストリップライン伝送線、エッジ結合マイクロストリップ伝送線、エッジ結合ストリップライン伝送線、それらのタイプの伝送線の組み合わせで形成された伝送線、等を含む。伝送線内には、必要に応じて、フィルタ回路、スイッチング回路、インピーダンスマッチング回路、及び他の回路が挿入される。インピーダンスマッチング回路は、個別コンポーネント（例えば、表面マウント技術のコンポーネント）から形成されるか、又はハウジング構造体、プリント回路板構造体、プラスチック支持体上のトレース、等から形成される。又、そのようなコンポーネントは、フィルタ回路の形成にも使用される。
【００２６】
図２のストレージ・処理回路３０及び入力／出力回路４４のような回路を形成するための電気的コンポーネントは、ハウジング１２にマウントされる。一例として、図３の装置１０の断面側面図について考える。図３は、図１の装置１０のような装置の、線１８に沿って方向２０に見た断面側面図である。図３に示すように、装置１０のディスプレイ１４は、（例えば）ディスプレイカバー層１１２のようなカバー層の下にマウントされたディスプレイモジュール１０２（ディスプレイとも称される）のようなディスプレイモジュールから形成される。ディスプレイ１４（ディスプレイモジュール１０２）は、液晶ディスプレイ、有機発光ダイオードディスプレイ、プラズマディスプレイ、電気泳動ディスプレイ、タッチに不感なディスプレイ、容量性タッチセンサ電極又は他のタッチセンサ構造体のアレイを合体したタッチ感知ディスプレイであるか、或いは他のタイプの適当なディスプレイである。ディスプレイカバー層１１２は、透明なガラスの層、透明なプラスチック部材、サファイア層、セラミック、溶融シリカのような透明な結晶部材、１つ以上の異なるタイプの材料から形成された透明な層、或いは他の透明な構造体である。層１１２は、装置１０の前面を形成する。必要に応じて、ディスプレイ１４の最も外側の層（例えば、ディスプレイ層１１２）は、カラーフィルタ素子のアレイのための基板として使用され（即ち、層１１２は、カラーフィルタ層であり）、又は薄膜トランジスタ層のための基板として使用され（即ち、層１１２は、薄膜トランジスタ層であり）、又は薄膜トランジスタ回路及びカラーフィルタ回路の両方を含む基板である（一例として）。
【００２７】
装置１０は、装置１０に対して構造上の支持を与え及び／又はプリント回路及び他の構造体に対してマウントプラットホームとして働く内部ハウジング構造体を有する。構造上の内部ハウジング部材は、ハウジング構造体とも称され、ハウジング１２の一部分を形成すると考えられる。
【００２８】
回路３０及び４４のような回路を形成する電気的コンポーネント１０６は、ハウジング１２の内部にマウントされる。コンポーネント１０６は、プリント回路１０４のようなプリント回路にマウントされる。プリント回路１０４は、堅牢なプリント回路板（例えば、ファイバーガラス充填のエポキシ又は他の堅牢なプリント回路板材料から形成されたプリント回路板）であるか、又は柔軟なプリント回路（例えば、ポリイミド又は他の柔軟なポリマー層のシートから形成されたプリント回路）である。プリント回路板１０４内のパターン化された金属トレースは、コンポーネント１０６間に信号経路を形成するのに使用される。希望があれば、コネクタのようなコンポーネントがプリント回路１０４にマウントされる。１つ以上の柔軟なプリント回路ケーブルのようなケーブルは、嵌合コネクタを有し、そしてプリント回路１０４のようなプリント回路上の回路をディスプレイ１０２、アンテナ４０（図２）、等に結合する。又、半田又は他の導電性材料を使用して基板１０４のような基板に柔軟なプリント回路ケーブルがマウントされてもよい。
【００２９】
ディスプレイカバー層１１２のようなディスプレイ１４の最も外側の層は、ディスプレイ１０２からの光が層１１２を通過するのを許す透明な構造体から形成された透明なディスプレイ層であるのが好ましい。これは、装置１０の動作中にディスプレイ１０２の画像を視聴者１０８が方向１１０に見ることができるようにする。
【００３０】
図３の例では、透明なディスプレイカバー層１１２は、平らな内面及び外面を有する。必要に応じて、ディスプレイ１４の１つ以上の面は、カーブしている（例えば、凹状、凸状、等）。図４の断面側面図に示すように、例えば、ディスプレイ１４は、凸状の外面を有する。このタイプの構成では、ディスプレイカバー層１１２は、平らな内面又はカーブした内面を有する（図４に示すように）。
【００３１】
図５に示すように、ディスプレイカバー層１１２は、２枚以上の層である。図５の例において、ディスプレイカバー層１１２は、層１１２−１のような外側層、及び層１１２−２のような内側層を有する。層１１２−１は、凸状外面及び平らな内面を有する（一例として）。層１１２−２は、互いの逆の平らな外面及び内面を有する（一例として）。接着剤１２０（例えば、光学的に透明な接着剤）を使用して、層１１２−１及び１１２−２を一緒に取り付ける。ディスプレイ構造体１０２（例えば、有機発光ダイオードディスプレイ又は他のディスプレイモジュール）が、接着剤又は他の取り付けメカニズムを使用して下部層１１２−２の内面（例えば、平らな内面）にマウントされる。
【００３２】
アンテナ構造体を収容するためにハウジング１２及び／又はディスプレイ１４のような構造体にくぼみを形成することが望まれる。一例として、図６の溝１１６のようなくぼみがディスプレイカバー層１１２のような誘電体層の内面１１４に形成される。溝１１６は、ディスプレイカバー層１１２の１つ以上の周縁に沿って延びる。図６の例において、ディスプレイカバー層１１２は、長方形であって、４つの周縁を有する。溝１１６は、ディスプレイカバー層１１２の４つの周縁全部に沿って延びる。図６の溝１１６のようなくぼみが他の形状を有する構成も、必要に応じて使用される（例えば、くぼみ１１６がディスプレイカバー層１１２の単一の縁に沿って延びる構成、くぼみ１１６がディスプレイカバー層１１２の２つの縁に沿って延びる構成、くぼみ１１６がディスプレイカバー層１１２の３つの縁に沿って延びる構成、等）。必要に応じて、ディスプレイ１４は、円形であり、そしてくぼみ１１６は、ディスプレイ１４のカーブした縁に沿って円形又は半円形の溝を形成する（例えば、くぼみ１１６は、円形の溝であるか、又はディスプレイ１４のカーブした周縁の一部分に沿って延びるカーブした形状の溝を形成する）。溝１１６のようなくぼみは、加工、エッチング、成形、ウォータジェット切断、砂の微粒子を使用する研磨、又は他の製造技術により形成される。溝１１６の断面形状は、方形、長方形又は半円形でもよいし、カーブした形状でもよいし、まっすぐな辺及び／又はカーブした辺を伴う形状、等でもよい。
【００３３】
装置１０の１つ以上のアンテナは、くぼみ１１６のようなくぼみに完全に又は部分的にマウントされるアンテナ共振素子から形成される。図７に例示する構成では、アンテナ４０は、くぼみ１１６内に配置されたアンテナ共振素子を有する逆Ｆ字型アンテナである。図７の逆Ｆ字型アンテナ４０は、アンテナ共振素子１２２及びアンテナ接地部（接地平面）１２４を有する。アンテナ接地部１２４は、金属ハウジング構造体（例えば、ハウジング１２の若干又は全部が金属である構成のハウジング１２）から形成され、プリント回路板上の導電性トレースから形成され、他の装置（例えば、ディスプレイ１０２）の接地構造体から形成され、及び／又は他の適当な接地構造体を使用して実施される。アンテナ共振素子１２２は、アーム１２０のような主共振素子を有する。アーム１２０（共振素子アーム又は共振素子とも称される）の長さは、アンテナ４０が望ましい動作周波数で共振するように選択される。例えば、アーム１２０の長さは、アンテナ４０の望ましい動作周波数における波長の１／４である。又、アンテナ４０は、高調波周波数でも共振を示す。
【００３４】
アーム１２０は、アンテナ支持体上の金属トレースから形成される。アンテナ支持体は、例えば、ポリマー（プラスチック）アンテナキャリア又は他の誘電体部材である。金属トレース１２０は、戻り路１２６により接地部１２４に結合される。戻り路１２６は、アンテナキャリア上の金属トレースから形成されるか、又は他の導電性構造体から形成される。アンテナフィード１２８は、正のアンテナフィード端子９８及び接地アンテナフィード端子１００を含み、そして共振素子アーム１２０の金属トレースと接地部１２４との間で戻り路１２６に平行に結合される。必要に応じて、図７に例示するアンテナ４０のような逆Ｆ字型アンテナは、（例えば、複数の周波数共振を生成して複数の通信帯域での動作をサポートするために）２つ以上の共振アーム岐路を有するか、又は他のアンテナ構造体（例えば、寄生アンテナ共振素子、アンテナの同調をサポートする同調可能なコンポーネント、等）を有する。例えば、アーム１２０の一端は、５ＧＨｚで共振する高帯域岐路を形成し、そしてアーム１２０の別の端は、２．４ＧＨｚで共振する低帯域岐路を形成する。
【００３５】
図７のアンテナ４０のようなアンテナの帯域巾は、接地部１２４とアンテナ共振素子１２２との間の分離（即ち、接地部１２４がハウジング１２から形成される構成では金属トレース１２０とハウジング１２との間の距離）により影響される。くぼみ１１６のようなくぼみをディスプレイカバー層１１２に設けることにより、接地部１２４とアンテナ共振素子１２０との間の距離は、装置１０及びハウジング１２のサイズを過度に増加せずに、改善することができる。
【００３６】
必要に応じて、アンテナ４０のアンテナフィード及び／又は部分に回路コンポーネントが挿入されてもよい。一例として、アンテナ４０は、図８に示すタイプの逆Ｆ字型アンテナである。図８に示すように、アンテナ４０は、コンポーネント１６０のような電気的コンポーネントを含む。コンポーネント１６０は、インダクタ又は他の回路素子である。コンポーネント１６０は、アンテナ共振素子アーム１２０内に形成される（例えば、コンポーネント１６０は、アーム１２０の部分１２０−１と１２０−２との間に挿入される）。コンポーネント１６０の値（例えば、コンポーネント１６０のインダクタンス値）は、アーム１２０の有効長さを調整し、従って、アンテナ４０の周波数応答を調整するために選択される。コンポーネント１６０は、表面マウント技術のパッケージ又は他のパッケージで包装されたインダクタのようなパッケージ型個別インダクタである。
【００３７】
必要に応じて、インピーダンスマッチング回路Ｍ１及びＭ２のようなインピーダンスマッチング回路がフィード１２８に結合される。例えば、マッチング回路Ｍ１は、端子９８及び１００と並列にアーム１２０と接地部１２４との間に結合され、そしてマッチング回路Ｍ２は、正のフィード端子９８とアーム１２０との間に直列に結合される。アンテナ４０及びフィード１２８には、必要に応じて、他のタイプのインピーダンスマッチング回路、フィルタ回路、アンテナ同調回路及び多のアンテナ回路が使用される。図８の構成は、単なる例示に過ぎない。
【００３８】
図９は、装置１０の縁部分を通して見たアンテナ４０の断面側面図である。図９に示すように、ディスプレイ１４は、ディスプレイカバー層１１２及びディスプレイモジュール（ディスプレイ）１０２を含む。ディスプレイモジュール１０２の活性領域ＡＡは、画像を表示するためのピクセルのアレイ（例えば、ディスプレイモジュール１０２が有機発光ダイオードディスプレイである構成における有機発光ダイオードピクセル、液晶表示ピクセル、電気泳動表示ピクセル、等）を有する。不活性ディスプレイ境界領域ＩＡは、ディスプレイ１４の周囲に延びるリングを形成する（例えば、ディスプレイ１４が長方形である構成における長方形リング、ディスプレイ１４が円形である構成における円形リング、等）。
【００３９】
ディスプレイ１０２の下に近フィールド通信ループアンテナが形成される。近フィールド通信ループアンテナは、プリント回路板上の金属トレース、又は他の近フィールド通信アンテナ構造体から形成される。
【００４０】
コンポーネントは、領域１３７のような領域において装置１０の内部にマウントされる。例えば、電気機械的アクチュエータのようなコンポーネント（例えば、触覚フィードバック装置、圧電アクチュエータ、ソレノイド、警報を発するバイブレータ、他の振動又は動きを装置１０に与える手段、等）、或いは他の適当な電気的コンポーネントが領域１３７にマウントされる。
【００４１】
アンテナ４０のアンテナ共振素子アーム１２０は、誘電体アンテナキャリア１４８のような誘電体キャリア上の金属トレースから形成される。キャリア１４８は、接着剤又はスプリングを使用せずに固定具を使用して装置１０内にマウントされる単一の一体的プラスチック部材である（一例として）。アンテナ４０の金属トレースは、レーザ・ダイレクト・ストラクチャリング（例えば、キャリア１４８の一部分がレーザ光線を使用して金属メッキのために選択的に活性化されるプロセス）、又は他の適当な金属トレースパターン化技術を使用して、キャリア１４８に形成される。
【００４２】
アンテナ４０は、柔軟なプリント回路１５０に形成された伝送線又は他の適当な信号経路を使用してプリント回路１０４の電気的コンポーネント１０６に結合される。図８のマッチング回路Ｍ１及びＭ２のようなマッチング回路コンポーネントは、（例えば、半田を使用して）柔軟なプリント回路１５０にマウントされる。コネクタ１５２は、柔軟なプリント回路１５０をプリント回路１０４に結合するのに使用される。アンテナ４０は、図７及び８のアンテナ共振素子１２２のようなアンテナ共振素子及びアンテナ接地部１２４から形成される。アンテナ接地部１２４は、ハウジング１２（例えば、金属ハウジング１２）の部分のような装置１０の導電性構造体、及びキャリア１４８及び柔軟なプリント回路１５０の接地構造体から形成される。
【００４３】
固定具１６２は、キャリア１４８をハウジング１２にマウントするために使用される。固定具１６２は、キャリア１４８上の金属トレースと金属ハウジング１２との間に導電性経路を形成する上で助けとなるように金属のような導電性材料で形成される。固定具１６２は、キャリア１４８をハウジング１２にマウントするためのスクリュー又は他の適当な構造体のようなねじ切りされた金属固定具である。１つ以上の固定具１６２を使用して、キャリア１４８がハウジング１２に固定される。例えば、２つのねじ切りされたスクリューがハウジング１２の２つの対応するねじ切りされた穴に受け入れられて、キャリア１４８をハウジング１２に対してネジ止めする。柔軟なプリント回路１５０は、必要に応じて、その一部分がキャリア１４８とハウジング１２との間に挿入される。このタイプの構成では、キャリア１４８及び柔軟なプリント回路１５０は、各々、固定具１６２を収容するための一対の穴を有する。
【００４４】
方向１１０におけるユーザ１０８の視野から装置の内部コンポーネントを隠すために、ディスプレイカバー層１１２の内面の周囲部分に、不透明なマスキング材料の層が被覆される。例えば、ディスプレイ１０２の不活性な境界領域ＩＡに重畳するディスプレイカバー層１１２の一部分は、不透明なマスキング層１４６で覆われる。層１４６は、溝１１６及びハウジング１２の一部分をディスプレイカバー層１１２の最も外側の縁まで覆う（一例として）。不透明なマスキング層１４６は、黒インク、白インク、黒、白又は他の色のポリマー、金属、等で形成される。
【００４５】
図９に示すように、ディスプレイカバー層１１２の外部とハウジング１２との間に構造体１４２が挿入される。装置１０のマウント構造体１４２には、接着剤又は他の取り付けメカニズムが使用される（例えば、接着剤層１３８及び接着剤層１４４を参照）。層１３８及び１４４のような接着剤及び／又は他の固定メカニズムは、ディスプレイカバー層１２をハウジング１２の側壁１２Ｗに取り付けるために使用される。構造体１４２は、ガスケット、装置１０にユーザ入力を供給するためにユーザがディスプレイカバー層１１２を押したときを検出するのに使用される力センサ、又は他の適当な構造体である。必要に応じて、ディスプレイカバー層１１２は、接着剤で側壁１２Ｗに直接取り付けられるか、又は他のマウント構成が使用されてもよい。図９の例は、単なる例示に過ぎない。
【００４６】
誘電体アンテナキャリア１４８は、液晶ポリマーのようなポリマーから形成されたアンテナトレース支持構造体又は他の誘電体材料である。柔軟なプリント回路ケーブル１５０上の金属トレースは、伝送線９２を形成する。動作中に、アンテナ信号は、伝送線９２を通してキャリア１４８上のトレースへ及びトレースから通過する。
【００４７】
アンテナキャリア１４８は、接着剤を使用せずにディスプレイカバー層１１２の溝１１６内に固定される（一例として）。組み立て中に、キャリア１４８は、スクリュー１６２を使用してハウジング１２にマウントされる。キャリア１４８の取り付けに続いて、層１１２は、キャリア１４８が溝１１６へ突出し、それ故、接着剤の必要なく溝１１６内にマウントされるように、ハウジング１２に取り付けられる。不透明なマスキング層１４６（例えば、黒インク）は、キャリア１４８及びキャリア１４８上の金属トレース、例えば、トレース１２０を視野から隠すように、溝１１６の内面を覆う。キャリア１４８上の金属トレース、例えば、トレース１２０は、レーザ増強堆積（例えば、構造体１４８の表面の選択された部分を、レーザ光を当てることで活性化し、その後、その活性領域に電気化学的に金属を堆積する技術）を使用するか、又は他の堆積及びパターン化技術（シャドーマスク及び蒸発、物理的又は化学的蒸着及びそれに続く選択的レーザ切除又はエッチング、等）を使用して、共振素子１２２に対して形成される。
【００４８】
キャリア１４８のようなアンテナ支持構造体は、長手方向軸に沿って（図９の例ではページに向かって）延びる細長い形状を有する。アンテナトレース支持構造体１４８の長手軸は、溝１１６の長手軸に整列される。
【００４９】
図１０は、アンテナ４０を形成するための誘電体アンテナキャリアを例示する前方斜視図である。図１０のアンテナキャリア１４８は、長方形であるが、一般的には、アンテナキャリア１４８は、溝１６に適合する適当な形状でよい（例えば、カーブ面をもつ形状、平面をもつ形状、カーブ面及び平面を組み合わせてもつ形状、等）。図１０のキャリア１４８に四角いボックス形状を使用することは、単なる例示に過ぎない。
【００５０】
図１０に示すように、アンテナ共振素子アーム１２０のような金属トレースは、アンテナキャリア１４８の表面においてパターン化される。アーム１２０は、インダクタ１６０のような回路コンポーネントにより互いに結合されるセグメント１２０−１及び１２０−２のような複数のセグメントを有する。アンテナキャリア１４８は、固定具１６２を収容するための穴１８０のような開口を有する。柔軟なプリント回路１５０は、正の伝送線トレース９４のような金属トレースを有する。金属充填ビア１７２とアンテナ共振素子アーム１２０との間には、金属トレース部分１７０が延びる。図１１に示すように、ビア１７２は、キャリア１４８の前面１９０からキャリア１４８の後面１９２へと延び、部分１７０を半田１７４に短絡する。半田１７４は、ビア１７２をプリント回路１５０のトレース２２２に結合するのに使用される。
【００５１】
図１２は、図１０のアンテナキャリア１４８の後方斜視図である。図１２に示すように、柔軟なプリント回路１５０は、金属トレース２２２がビア１７２に重畳するように後面１９２にマウントされる。トレース２２２のようなトレースは、マッチング回路Ｍ１及びＭ２を接地アンテナフィード端子１００及び正のアンテナフィード端子９８に結合し、そして（ビア１７２、及びキャリア１４８の前部のトレース１７０を経て）共振素子１２０に結合する。金属トレース９６’は、柔軟なプリント回路１５０上のアンテナ接地端子１００の一部分として働き、そして伝送線接地路９６に電気的に結合される。キャリア１４８及び柔軟なプリント回路１５０には、開口１８０−２が貫通している。金属トレース９６’は、開口１８０−２に重畳する。蹄鉄型部材２００のような金属接地部材が金属トレース９６’に半田付けされる。固定具１６２の１つが開口１８０−２を通過してハウジング１２へねじ込まれるとき、部材２００のディンプル２０４がハウジング１２に対して押し付けられて、部材２００及びトレース９６’（ひいては、経路９６）がハウジング１２に短絡されることを保証する上で助けとなる。金属トレース１２６’が戻り路１２６の接地端に電気的に結合される。キャリア１４８及びプリント回路１５０には（従って、トレース１２６’には）開口１８０−１が通過している。蹄鉄型部材２００のような金属部材は、金属トレース１２６’に半田付けされる。部材２０２のディンプル２０６は、固定具１６２の１つを開口１８０−１に通してキャリア１４８及び部材２０２をハウジング１２に対してねじ込むときにハウジング１２に対して押し付けられる。部材２００及び２０２に蹄鉄形状を使用することは、アンテナ接地部（部材２００及び２０２がその一部を形成する）とアンテナ共振素子１２０との間の距離を最大にし、ひいては、アンテナの帯域巾を最大にする上で助けとなる。
【００５２】
単一のアンテナキャリア（キャリア１４８）が共振素子１２２に対する全てのアンテナ共振素子構造体を支持し、そして固定具１６２を経て接地部（ハウジング１２）に結合されるので、アンテナ４０は、接着剤、スプリング、又は固定具１６２以外のマウント構造体を使用する必要なく、効率的に且つ正確に装置１０へ組み立てることができる。必要に応じて、アンテナ４０を取り付ける上で役立つように接着剤が溝１１６に入れられ、キャリア１４８上の信号トレースをハウジング１２及び／又は柔軟なプリント回路１５０に結合するようにスプリングが使用され、及び／又は装置１０内にアンテナ４０をマウントするのに付加的なマウント構造体が使用される。
【００５３】
一実施形態によれば、互いに反対の前面及び後面を有する電子装置において、前面を取り巻く側壁を伴う金属ハウジング；前記ハウジングにマウントされたディスプレイ；前記ディスプレイを覆い且つ前記金属ハウジングの側壁に取り付けられた透明なディスプレイカバー層であって、くぼみを伴う内面を有している透明なディスプレイカバー層；及び誘電体キャリア上にアンテナ共振素子を有するアンテナであって、そのアンテナ共振素子が前記誘電体キャリアにより支持され且つ接着剤なしに前記くぼみ内にマウントされたアンテナ；を備えた電子装置が提供される。
【００５４】
別の実施形態によれば、前記誘電体キャリアは、少なくとも１つの開口を有する。
【００５５】
別の実施形態によれば、前記側壁は、少なくとも１つのねじ込み型開口を有し、そして前記電子装置は、前記誘電体キャリアの開口を通して前記側壁のねじ込み型開口へ通されるねじ込み型固定具を備えている。
【００５６】
別の実施形態によれば、前記電子装置は、前記誘電体キャリアの第１の面から前記誘電体キャリアの第２の面へ通過する少なくとも１つの導電性ビアを備えている。
【００５７】
別の実施形態によれば、前記電子装置は、柔軟なプリント回路を備え、その上で金属トレースが伝送線を形成する。
【００５８】
別の実施形態によれば、前記柔軟なプリント回路は、導電性ビアに半田付けされた少なくとも１つの金属トレースを有する。
【００５９】
別の実施形態によれば、前記電子装置は、前記柔軟なプリント回路にマウントされた少なくとも１つのインピーダンスマッチング回路を備えている。
【００６０】
別の実施形態によれば、前記電子装置は、前記誘電体キャリアにマウントされた柔軟なプリント回路を備えている。
【００６１】
別の実施形態によれば、前記電子装置は、前記柔軟なプリント回路にマウントされた少なくとも１つの金属部材を備えている。
【００６２】
別の実施形態によれば、前記電子装置は、前記柔軟なプリント回路と前記側壁との間に前記金属部材が挿入されるように前記誘電体キャリアを前記側壁にマウントする少なくとも１つの固定具を備えている。
【００６３】
別の実施形態によれば、前記金属部材は、前記固定具が前記誘電体キャリアを前記側壁にマウントするときに前記側壁に対して押し付けられる少なくとも１つのディンプルを有する。
【００６４】
別の実施形態によれば、前記電子装置は、柔軟なプリント回路、及びその柔軟なプリント回路にマウントされるディンプルを伴う金属部材を備えている。
【００６５】
別の実施形態によれば、前記電子装置は、固定具を備え、前記誘電体キャリア及び前記柔軟なプリント回路には固定具を受け入れる開口があり、前記固定具は、前記側壁にねじ込まれて前記ディンプルを前記側壁に対して押し付ける。
【００６６】
別の実施形態によれば、前記金属部材の少なくとも１つは、蹄鉄状の金属部材を含む。
【００６７】
別の実施形態によれば、前記アンテナ共振素子及び前記アンテナ接地部は、逆Ｆ字型アンテナを形成し、前記アンテナ共振素子は、第１及び第２のセグメントを伴うアンテナ共振アームを有し、そして前記電子装置は、前記第１セグメントと第２セグメントとの間にマウントされたインダクタを備えている。
【００６８】
別の実施形態によれば、前記電子装置は、開口を伴う柔軟なプリント回路、開口付近にマウントされた金属部材、及び前記誘電体キャリア上にあって、アンテナの戻り路を形成し、前記アンテナ共振素子を前記金属部材に結合する金属トレース、を備えている。
【００６９】
一実施形態によれば、金属ハウジング；このハウジングにマウントされた、溝を有する誘電体層；及び前記溝内のアンテナ共振素子と、前記金属ハウジングで少なくとも一部分形成されたアンテナ接地部とを有するアンテナであって、アンテナキャリアと、このアンテナキャリア上にあってアンテナ共振素子を形成する金属トレースと、前記アンテナキャリアを前記金属ハウジングに取り付けるために固定具を通す前記アンテナキャリアの開口とを含むアンテナ；を備えた電子装置が提供される。
【００７０】
別の実施形態によれば、前記電子装置は、前記固定具を受け入れる開口を伴う柔軟なプリント回路；及び前記開口付近で前記柔軟なプリント回路に半田付けされる金属部材であって、前記アンテナキャリアを前記固定具で前記金属ハウジングに取り付けるときに前記金属ハウジングに対して押し付けられる金属部材；を備えている。
【００７１】
別の実施形態によれば、前記金属部材は、前記金属ハウジングに対して押し付けられるディンプルを有する。
【００７２】
別の実施形態によれば、前記誘電体層は、透明なディスプレイカバー層であり、そして前記アンテナ共振素子は、接着剤なしに前記溝に支持される。
【００７３】
一実施形態によれば、金属ハウジング；該金属ハウジング内のディスプレイ；該ディスプレイを覆い、くぼみを有する透明なカバー層；伝送線を含む柔軟なプリント回路；及び該柔軟なプリント回路に結合されたアンテナであって、前記くぼみ内にアンテナ共振素子を有すると共に、前記金属ハウジングから少なくとも一部分形成され且つ前記金属ハウジングに対して押し付けられる前記柔軟なプリント回路上の金属部材から少なくとも一部分形成されるアンテナ接地部を有するアンテナ；を備えた電子装置が提供される。
【００７４】
別の実施形態によれば、前記金属部材は、前記金属ハウジングに対して押し付けられるディンプルを有し、前記アンテナは、誘電体アンテナキャリアを含み、そして前記アンテナ共振素子は、アンテナ共振素子アームを形成する前記アンテナキャリア上の金属トレースを含む。
【００７５】
別の実施形態によれば、前記電子装置は、前記誘電体キャリア内にあって前記アンテナ共振素子アームに電気的に結合される導電性ビアを備えている。
【００７６】
別の実施形態によれば、前記アンテナ共振素子アームは、第１及び第２のセグメントを有し、そして前記アンテナは、その第１セグメントと第２セグメントとの間にマウントされたインダクタを含む。
【００７７】
以上の説明は、単なる例示であり、当業者であれば、ここに述べた実施形態の範囲及び精神から逸脱せずに種々の変更がなされ得る。以上の実施形態は、個々に実施されてもよいし、又は任意の組み合わせで実施されてもよい。
【符号の説明】
【００７８】
１０：電子装置
１２：ハウジング
１２Ｒ：ハウジング後壁
１４：ディスプレイ
１６：ボタン
３０：ストレージ・処理回路
３２：入力／出力装置
３４：ワイヤレス通信回路
４０：アンテナ
４４：入力／出力回路
９０：高周波トランシーバ回路
９２：伝送線
９６：接地伝送線導体
９８：正のアンテナフィード端子
１００：接地アンテナフィード端子
１０２：ディスプレイモジュール
１０４：プリント回路
１０６：電気的コンポーネント
１０８：視聴者
１１０：方向
１１２：ディスプレイカバー層
１１２−１、１１２−２：層
１１６：溝（くぼみ）
１２０：接着剤
１２２：アンテナ共振素子
１２４：アンテナ接地部
１２６：戻り路
１３７：領域
１３８、１４４：接着剤層
１４２：マウント構造体
１４８：キャリア
１５０：柔軟なプリント回路
１６０：コンポーネント（インダクタ）
１６２：固定具（スクリュー）
１７０：金属トレース部分
１７２：ビア
１７４：半田
１８０−１、１８０−２：開口
１９０：前面
１９２：後面
２００、２０２：蹄鉄型部材
２０４、２０６：ディンプル
２２２：トレース
【図１】
0003205273.tif 000003
【図２】
0003205273.tif 000004
【図３】
0003205273.tif 000005
【図４】
0003205273.tif 000006
【図５】
0003205273.tif 000007
【図６】
0003205273.tif 000008
【図７】
0003205273.tif 000009
【図８】
0003205273.tif 000010
【図９】
0003205273.tif 000011
【図１０】
0003205273.tif 000012
【図１１】
0003205273.tif 000013
【図１２】
0003205273.tif 000014
【手続補正書】
【提出日】平成28年5月16日(2016.5.16)
【手続補正１】
【補正対象書類名】実用新案登録請求の範囲
【補正対象項目名】全文
【補正方法】変更
【補正の内容】
【実用新案登録請求の範囲】
【請求項１】
互いに反対の前面及び後面を有する電子装置において、
前面を取り巻く側壁を伴う金属ハウジング、
前記ハウジングにマウントされたディスプレイ、
前記ディスプレイを覆い且つ前記金属ハウジングの側壁に取り付けられた透明なディスプレイカバー層であって、くぼみを伴う内面を有する透明なディスプレイカバー層、及び  誘電体キャリア上にアンテナ共振素子を有するアンテナであって、そのアンテナ共振素子が前記誘電体キャリアにより支持され且つ接着剤なしに前記くぼみ内にマウントされたアンテナ、
を備えた電子装置。
【請求項２】
前記誘電体キャリアは、少なくとも１つの開口を有する、請求項１に記載の電子装置。
【請求項３】
前記側壁は、少なくとも１つのねじ込み型開口を有し、そして前記電子装置は、更に、前記誘電体キャリアの開口を通して前記側壁のねじ込み型開口へ通されるねじ込み型固定具を備えた、請求項２に記載の電子装置。
【請求項４】
前記誘電体キャリアの第１の面から前記誘電体キャリアの第２の面へ通過する少なくとも１つの導電性ビアを更に備えた請求項１に記載の電子装置。
【請求項５】
柔軟なプリント回路を更に備え、その上で金属トレースが伝送線を形成し、前記柔軟なプリント回路は、導電性ビアに半田付けされた少なくとも１つの金属トレースを有し、そして前記柔軟なプリント回路にマウントされた少なくとも１つのインピーダンスマッチング回路を更に備えた、請求項４に記載の電子装置。
【請求項６】
前記誘電体キャリアにマウントされた柔軟なプリント回路を更に備えた、請求項１に記載の電子装置。
【請求項７】
前記柔軟なプリント回路にマウントされた少なくとも１つの金属部材を更に備えた、請求項６に記載の電子装置。
【請求項８】
前記柔軟なプリント回路と前記側壁との間に前記金属部材が挿入されるように前記誘電体キャリアを前記側壁にマウントする少なくとも１つの固定具を更に備え、前記金属部材は、前記固定具が前記誘電体キャリアを前記側壁にマウントするときに前記側壁に対して押し付けられる少なくとも１つのディンプルを有する、請求項７に記載の電子装置。
【請求項９】
柔軟なプリント回路、及び
前記柔軟なプリント回路にマウントされるディンプル付き金属部材、
を備えた請求項１に記載の電子装置。
【請求項１０】
固定具を更に備え、前記誘電体キャリア及び前記柔軟なプリント回路には前記固定具を受け入れる開口があり、前記固定具は、前記側壁にねじ込まれて前記ディンプルを前記側壁に対して押し、前記金属部材の少なくとも１つは、蹄鉄状の金属部材を含む、請求項９に記載の電子装置。
【請求項１１】
前記アンテナ共振素子及びアンテナ接地部は、逆Ｆ字型アンテナを形成し、前記アンテナ共振素子は、第１及び第２のセグメントを伴うアンテナ共振アームを有し、そして前記電子装置は、前記第１セグメントと第２セグメントとの間にマウントされたインダクタを更に備えた、請求項１に記載の電子装置。
【請求項１２】
開口を伴う柔軟なプリント回路、
前記開口付近にマウントされた金属部材、及び
前記誘電体キャリア上にあって、アンテナの戻り路を形成し、前記アンテナ共振素子を前記金属部材に結合する金属トレース、
を更に備えた請求項１１に記載の電子装置。
【請求項１３】
金属ハウジング、
前記ハウジングにマウントされた、溝を有する誘電体層、及び
前記溝内のアンテナ共振素子と、前記金属ハウジングから少なくとも一部分形成されたアンテナ接地部とを有するアンテナであって、アンテナキャリアと、このアンテナキャリア上にあってアンテナ共振素子を形成する金属トレースと、前記アンテナキャリアを前記金属ハウジングに取り付けるために固定具を通す前記アンテナキャリアの開口とを含むアンテナ、
を備えた電子装置。
【請求項１４】
前記固定具を受け入れる開口を伴う柔軟なプリント回路、及び
前記開口付近で前記柔軟なプリント回路に半田付けされる金属部材であって、前記アンテナキャリアを前記固定具で前記金属ハウジングに取り付けるときに前記金属ハウジングに対して押し付けられる金属部材、
を更に備えた、請求項１３に記載の電子装置。
【請求項１５】
前記金属部材は、前記金属ハウジングに対して押し付けられるディンプルを有する、請求項１４に記載の電子装置。
【請求項１６】
前記誘電体層は、透明なディスプレイカバー層であり、そして前記アンテナ共振素子は、接着剤なしに前記溝に支持される、請求項１５に記載の電子装置。
【請求項１７】
金属ハウジング、
前記金属ハウジング内のディスプレイ、
前記ディスプレイを覆い、くぼみを有する透明なカバー層、
伝送線を含む柔軟なプリント回路、及び
前記柔軟なプリント回路に結合されたアンテナであって、前記くぼみ内にアンテナ共振素子を有すると共に、前記金属ハウジングから少なくとも一部分形成され且つ前記金属ハウジングに対して押し付けられる前記柔軟なプリント回路上の金属部材から少なくとも一部分形成されるアンテナ接地部を有するアンテナ、
を備えた電子装置。
【請求項１８】
前記金属部材は、前記金属ハウジングに対して押し付けられるディンプルを有し、
前記アンテナは、誘電体アンテナキャリアを含み、及び
前記アンテナ共振素子は、アンテナ共振素子アームを形成する前記誘電体アンテナキャリア上の金属トレースを含む、請求項１７に記載の電子装置。
【請求項１９】
前記誘電体アンテナキャリア内にあって前記アンテナ共振素子アームに電気的に結合される導電性ビアを更に備えた、請求項１８に記載の電子装置。
【請求項２０】
前記アンテナ共振素子アームは、第１及び第２のセグメントを有し、そして前記アンテナは、その第１セグメントと第２セグメントとの間にマウントされたインダクタを含む、請求項１８に記載の電子装置。